(57)【要約】【課題】ＰＥＴ薬剤用シリンジを取り付けているシリンジシールドを立てた状態で机の上等に置くことで、シリンジシールドにおける種々の扱いを極めて容易に行い、医療従業者の被曝量を低く抑えることのできる手動式放射性液体投与装置の補助器具を提供する。【解決手段】本発明は、針を付けたままの状態のＰＥＴ薬剤用シリンジを、シリンジシールドにセットしたまま立て掛けておく補助器具であって、シリンジシールドの一部を嵌め入れるために補助器具の一端に形成された嵌合凹部と、シリンジシールドにセットされているＰＥＴ薬剤用シリンジの針部分を挿入するために該嵌合凹部の中央に形成された円形挿入部と、を備えたことを特徴とする。【選択図】図３
2008092999.tif 000002
【特許請求の範囲】
【請求項１】
針を付けたままの状態のＰＥＴ薬剤用シリンジを、シリンジシールドにセットしたまま立て掛けておく補助器具であって、シリンジシールドの一部を嵌め入れるために補助器具の一端に形成された嵌合凹部と、シリンジシールドにセットされているＰＥＴ薬剤用シリンジの針部分を挿入するために該嵌合凹部の中央に形成された円形挿入部と、を備えたことを特徴とする手動式放射性液体投与装置の補助器具。
【請求項２】
補助器具は、所定の場所に安定して載置できるよう、略矩形筒状に形成されている請求項１に記載の手動式放射性液体投与装置の補助器具。
【請求項３】
補助器具は、発泡合成樹脂製、もしくは、プラスチック製の素材により形成されている請求項１または２に記載の手動式放射性液体投与装置の補助器具。
【請求項４】
補助器具の円形挿入部に、挿入された針部分から発生するＰＥＴ薬剤の放射線を遮蔽するシールド部材を配置している請求項１乃至３のいずれかに記載の手動式放射性液体投与装置の補助器具。
【発明の詳細な説明】
【技術分野】
【０００１】
本発明は、陽電子放射断層撮影法（以下ＰＥＴと称す）に使用されるアイソトープ標識された、例えば、１８Ｆ−ＦＤＧ（２−デオキシ−２−フルオロ−Ｄ−グルコース）等の液状ＰＥＴ薬剤の体内投与により、診断や検査を行う際に使用される、手動式放射性液体投与装置の補助器具に関するものである。
【背景技術】
【０００２】
従来より、陽電子を放出するアイソトープで標識された１８Ｆ−ＦＤＧ（２−デオキシ−２−フルオロ−Ｄ−グルコース）等の液状ＰＥＴ薬剤を体内に投与し、その体内分布を特殊カメラ等で映像化して診断を行うポジトロンＣＴとも称するＰＥＴによる、例えば、ガン等の診断方法が行われている。
【０００３】
このＰＥＴに使用される１８Ｆ−ＦＤＧ（２−デオキシ−２−フルオロ−Ｄ−グルコース）は、グルコースの水酸基のひとつを１８−Ｆに置換したもので、薬剤の寿命である半減期は約１１０分と短く、また、薬剤から放出される陽電子と体内の陰電子との対消滅によって放射されるγ線のエネルギーが高く且つこのエネルギーの透過能力も高いものである。
【０００４】
しかも、デリバリー供給により入手できるＰＥＴ薬剤の放射線量にも限りがあり、被曝量は人体に殆ど影響がないものとして知られている。
【０００５】
このようなＰＥＴ薬剤を被験者に投与（静脈注射）する際には、いかに確実に、また、短時間の内に被験者に投与できるかが重要であり、それが検査のクオリティの向上と医療従業者の被曝の低減につながっている。
【０００６】
このため近年におけるＰＥＴ検査施設においては、医療従業者の被曝を考慮して、ＰＥＴ薬剤の自動投与装置の導入が進められている。
【０００７】
しかし、このような自動投与装置は、非常に高額であることに加えて、装置が故障した場合には、必ず手動にて投与を行わなければならないことから、今後も手動投与装置の必要性や需要が依然として存在している。
【０００８】
このため、手動投与装置の作業改善が課題とされ、今後も自動投与装置をバックアップするものとして、広く活用される傾向にある。
【０００９】
次に、従来の手動式放射性液体投与装置（例えば、ＵＧ−１５０Ｐ）による、ＰＥＴ薬剤の投与の手順について説明する。
【００１０】
ａ．手動式放射性液体投与装置とＰＥＴ薬剤の洗い出し用の生理食塩水用シリンジを用意する。
【００１１】
ｂ．放射線量測定装置（キュリーメータ）を準備しておく。
【００１２】
ｃ．ＰＥＴ薬剤用シリンジをシリンジシールド（例えば、ＵＧ−１５０Ｗ）にセットし、バイアルからＰＥＴ薬剤を吸引する。
【００１３】
ｄ．シリンジシールドにセットしたＰＥＴ薬剤用シリンジを、放射線量測定装置の手前に置く。
【００１４】
ｅ．シリンジシールドのロックを外し、ＰＥＴ薬剤用シリンジをシリンジシールドから取り外す。
【００１５】
ｆ．ＰＥＴ薬剤用シリンジに吸引したＰＥＴ薬剤の放射線量を、放射線量測定装置で測定する。
【００１６】
ｇ．測定後、ＰＥＴ薬剤用シリンジに針を付けたまま、これをシリンジシールドに入れる。
【００１７】
ｈ．シリンジシールドを片手で押さえながら、ロックを開放した状態でシリンジをいれる。
【００１８】
ｉ．シリンジシールドのロックを行い、ＰＥＴ薬剤用シリンジのセットを完了する。
【００１９】
ｊ．手動式放射性液体投与装置にシリンジシールドをセットし、三方活栓を介して生理食塩水用シリンジとつなぐ。
【００２０】
ｈ．ＰＥＴ薬剤と洗い出し用の生理食塩水を被験者に投与する。このとき、圧力で三方活栓が外れないように、片手でしっかりと押さえておく。
【特許文献１】特になし
【発明の開示】
【発明が解決しようとする課題】
【００２１】
しかしながら、上述したＰＥＴ薬剤の投与の手順において、ＰＥＴ薬剤をバイアルからシリンジに吸引した後の放射線量の測定にかなりの時間を費やしていた。
【００２２】
すなわち、ＰＥＴ薬剤用シリンジに針を付け、例えば、タングステン製等の重量１ｋｇもあるシリンジシールドで遮蔽を行い、ＰＥＴ薬剤をバイアルから吸引するのであるが、この吸引の後の放射線量を測定する際に、例えば、机の上に寝かせるように置いているシリンジシールドから、ＰＥＴ薬剤の入ったシリンジを横方向に取り出すのにかなりの時間がかかっていたのである。
【００２３】
また、放射線量を測定した後に、机の上に寝かせるように置いているシリンジシールドに、ＰＥＴ薬剤用シリンジを横方向から入れるのも非常に面倒であった。
【００２４】
このような弊害は、例えば、シリンジシールドを左手に持ち、右手でＰＥＴ薬剤用シリンジを持ってシリンジシールドにＰＥＴ薬剤用シリンジをセットすれば解消できるが、医療従業者の被曝量が増えてしまう。
【００２５】
さらに、ＰＥＴ薬剤用シリンジを取り付けているシリンジシールドを手に持って運び、シリンジシールドを手動式放射性液体投与装置にセットする際にも、医療従業者が被曝していた。
【００２６】
そこで、本発明は、如上のような従来存した諸事情に鑑み創出されたもので、ＰＥＴ薬剤用シリンジを取り付けているシリンジシールドを立てた状態で机の上等に置くことで、シリンジシールドにおける種々の扱いを極めて容易に行い、医療従業者の被曝量を低く抑えることのできる手動式放射性液体投与装置の補助器具を提供することを目的とする。
【課題を解決するための手段】
【００２７】
本発明は、針を付けたままの状態のＰＥＴ薬剤用シリンジを、シリンジシールドにセットしたまま立て掛けておく補助器具であって、シリンジシールドの一部を嵌め入れるために補助器具の一端に形成された嵌合凹部と、シリンジシールドにセットされているＰＥＴ薬剤用シリンジの針部分を挿入するために該嵌合凹部の中央に形成された円形挿入部と、を備えたことで、上述した課題を解決した。
【００２８】
また、補助器具は、所定の場所に安定して載置できるよう、略矩形筒状に形成されていることで、同じく上述した課題を解決した。
【００２９】
さらに、補助器具は、発泡合成樹脂製、もしくは、プラスチック製の素材により形成されていることで、同じく上述した課題を解決した。
【００３０】
また、補助器具の円形挿入部に、挿入された針部分から発生するＰＥＴ薬剤の放射線を遮蔽するシールド部材を配置していることで、同じく上述した課題を解決した。
【発明の効果】
【００３１】
本発明は、針を付けたままの状態のＰＥＴ薬剤用シリンジを、シリンジシールドにセットしたまま立て掛けておく補助器具であって、シリンジシールドの一部を嵌め入れるために補助器具の一端に形成された嵌合凹部と、シリンジシールドにセットされているＰＥＴ薬剤用シリンジの針部分を挿入するために該嵌合凹部の中央に形成された円形挿入部と、を備えたことから、ＰＥＴ薬剤用シリンジを取り付けているシリンジシールドを立てた状態で机の上等に置くことが可能となり、シリンジシールドにおける種々の扱いを極めて容易に行うことができる。
【００３２】
すなわち、ＰＥＴ薬剤用シリンジを取り付けているシリンジシールドを立てた状態で机の上等に置くため、その状態でシリンジシールドから、針を付けたままの状態のＰＥＴ薬剤用シリンジを簡単に取り外すことができる。
【００３３】
そのため、ＰＥＴ薬剤用シリンジを放射線量測定装置に簡単にセットすることができ、放射線量の測定を迅速に行うことができる。その結果、医療従業者の被曝量を低く抑えることができるのである。
【００３４】
また、シリンジシールドを直接手で持つことがなく、補助器具を介してシリンジシールドを持ち運べるため、この点においても医療従業者の被曝量を低く抑えることができる。
【００３５】
さらに、シリンジシールドが立っている状態を維持しているので、シリンジシールドにＰＥＴ薬剤用シリンジに簡単に取り付けることができる。そのため、ＰＥＴ薬剤をバイアルから吸引した後、ＰＥＴ薬剤用シリンジをシリンジシールドに簡単に取り付けることができる。
【００３６】
また、放射線量の測定を終えたときも、放射線量測定装置からＰＥＴ薬剤用シリンジを外し、シリンジシールドに簡単に取り付けることができる。
【００３７】
すなわち、従来においては、シリンジシールドが、机の上に寝かせるように置かれていることから、ＰＥＴ薬剤の入ったシリンジを横方向に取りださなければならず、その作業に時間がかかっていた。また、机の上に寝かせるように置いているシリンジシールドに、ＰＥＴ薬剤用シリンジを横方向から入れるのも非常に面倒であった。
【００３８】
本発明は、このような弊害を解消するために、ＰＥＴ薬剤用シリンジを取り付けているシリンジシールドを、立てた状態で机の上等に置くことを可能としたのである。
【００３９】
この他、補助器具は、略矩形筒状に形成されているので、補助器具を所定の場所に安定した状態で載置できる。
【００４０】
さらに、補助器具は、発泡合成樹脂製、もしくは、プラスチック製の素材により形成されているので、補助器具の軽量化を図ることができる。
【００４１】
また、補助器具の円形挿入部に、シールド部材を配置しているので、挿入された針部分から発生するＰＥＴ薬剤の放射線を遮蔽することができる。
【００４２】
このように、本発明によれば、ＰＥＴ薬剤用シリンジを取り付けているシリンジシールドを立てた状態で机の上等に置くことで、シリンジシールドにおける種々の扱いを極めて容易に行い、医療従業者の被曝量を低く抑えることができるのである。
【発明を実施するための最良の形態】
【００４３】
以下に、本発明を実施するための最良の形態を、図面を参照して説明する。
【００４４】
本発明に係る手動式放射性液体投与装置Ｔの補助器具１は、例えば、発泡合成樹脂製もしくはプラスチック製等の素材を用いて形成されている。また、補助器具１は、図１に示すように、所定の場所に安定して載置しておくことのできるように略矩形筒状に形成されている。
【００４５】
この補助器具１は、図３・図４に示すように、針Ｐを付けたままの状態のＰＥＴ薬剤用シリンジＱを、シリンジシールドＳ（例えばＵＧ−１５０Ｗ）にセットし、この状態のままシリンジシールドＳ自体を立て掛けておくことができる。
【００４６】
シリンジシールドＳは、図７に示すように、手動式放射性液体投与装置Ｔの台座Ｔ２にセットされ、三方活栓Ｒを介して生理食塩水用シリンジＬとつないだ状態で、ＰＥＴ薬剤と生理用食塩水が被験者に投与される。
【００４７】
このとき、手動式放射性液体投与装置Ｔの台座Ｔ２に、ＰＥＴ薬剤用シリンジＱを装着したシリンジシールドＳをセットすることにより、ＰＥＴ薬剤用シリンジＱのピストン側は、手動式放射性液体投与装置Ｔの押圧操作棒Ｔ１の先端に配置され、該押圧操作棒Ｔ１の押圧操作を介してピストンが押し込まれるものでる。
【００４８】
補助器具１は、図１に示すように、その一端に、シリンジシールドＳの一部を嵌め入れるための、所定の深さを有する略矩形状の嵌合凹部２が形成されている。
また、この嵌合凹部２の中央には、シリンジシールドＳにセットされているＰＥＴ薬剤用シリンジＱの針Ｐ部分を挿入するために、有底の円形挿入部３が形成されている。
【００４９】
この円形挿入部３には、図２に示すように、挿入された針Ｐ部分から発生するＰＥＴ薬剤の放射線を遮蔽するために、若干先細となっているパイプ状のシールド部材４が挿入されている。
【００５０】
また、図３に示すように、シリンジシールドＳ（例えば、ＵＧ−１５０Ｗ）は、ＰＥＴ薬剤用シリンジＱのシリンダ部分が嵌め入れられる嵌挿孔Ｓ１が形成されている。
【００５１】
そして、ＰＥＴ薬剤用シリンジＱをセットした際には、図４に示すように、シリンダの一端のフランジ部Ｆが嵌挿孔Ｓ１の開口縁部に係止される。また、開口縁部近傍に配した回転式のロックレバーＳ２を、フック部Ｓ３に係架させることによって、フランジ部Ｆがロックされるようにしている。この状態で、嵌挿孔Ｓ１の反対側から、ＰＥＴ薬剤用シリンジＱの針Ｐ部分のみが外部に露出するようになっている。
【００５２】
従って、補助器具１の嵌合凹部２に、シリンジシールドＳの一部が嵌め入れられると、補助器具１の円形挿入部３内に針Ｐ部分のみが挿入される。こうして、図４に示すように、針Ｐを付けたままの状態でＰＥＴ薬剤用シリンジＱをシリンジシールドＳごと、所定の場所に立て掛けておくのである。
【００５３】
また、バイアルＶからＰＥＴ薬剤を吸引する際には、図５に示すように、ＰＥＴ薬剤用シリンジＱをシリンジシールドＳにセットしたままの状態で、針ＰのみをバイアルＶ内に挿入して吸引する。
【００５４】
次に、以上のように構成された本発明の最良の形態について、使用の一例を説明する。
【００５５】
先ず、図３・図４に示すように、シリンジシールドＳにセットしたＰＥＴ薬剤用シリンジＱに針Ｐを付けたままの状態で、補助器具１の上にシリンジシールドＳを立てた状態で載せる。
【００５６】
このとき、補助器具１の嵌合凹部２に、シリンジシールドＳの一部が嵌め入れられ、補助器具１の円形挿入部３内に針Ｐ部分のみが挿入される。また、シリンジシールドＳのロックレバーＳ２で、ＰＥＴ薬剤用シリンジＱのフランジ部Ｆが固定された状態となっている。
【００５７】
この状態で、補助器具１を手に持って所定の場所に移動させる。
【００５８】
そして、図５に示すように、補助器具１からシリンジシールドＳを取り外し、図５に示すように、バイアルＶからＰＥＴ薬剤を吸引する。
【００５９】
ＰＥＴ薬剤の吸引後は、図４に示すように、補助器具１の上にシリンジシールドＳを再度載せ、補助器具１を手に持って放射線量測定装置Ｍに近い位置に移動させる。
【００６０】
そして、補助器具１にセットされたままの状態で、シリンジシールドＳのロックレバーＳ２を外し、ＰＥＴ薬剤用シリンジＱをシリンジシールドＳから取り外す。
【００６１】
次に、図６に示すように、ＰＥＴ薬剤用シリンジＱを放射線量測定装置Ｍにセットし、ＰＥＴ薬剤用シリンジＱに吸引されているＰＥＴ薬剤の放射線量を測定する。
【００６２】
測定後、ＰＥＴ薬剤用シリンジＱに針Ｐを付けたままの状態で、これを補助器具１にセットされているシリンジシールドＳに入れて、ロックレバーＳ２で固定する。
【００６３】
この状態で補助器具１を手に持ち、手動式放射性液体投与装置Ｔに近い位置に移動させる。
【００６４】
次に、補助器具１からシリンジシールドＳを取り外し、図７に示すように、手動式放射性液体投与装置Ｔの台座Ｔ２にシリンジシールドＳをセットする。このとき、三方活栓Ｒを介して生理食塩水用シリンジＬとつなぐ。
【００６５】
この状態で、三方活栓ＲのコックＲ１のいずれかの方向への９０度回転操作により、投入ラインＲ２を通じて、ＰＥＴ薬剤と生理用食塩水が被験者に投与される。
【００６６】
このとき、ＰＥＴ薬剤用シリンジＱが投入ラインＲ２に連通する状態となるようにコックＲ１を回動させることで、手動式放射性液体投与装置Ｔの押圧操作棒Ｔ１の押圧操作により、ＰＥＴ薬剤用シリンジＱから投入ラインＲ２を通ってＰＥＴ薬剤が被験者に投与される。
【００６７】
また、生理食塩水用シリンジＬが投入ラインＲ２に連通する状態となるようにコックＲ１を回動させることで、生理食塩水用シリンジＬから投入ラインＲ２を通って生理食塩水が被験者に投与される。
【００６８】
被験者への投与が終了したときは、手動式放射性液体投与装置ＴからシリンジシールドＳを取り外し、補助器具１の上にシリンジシールドＳを再度載せ、所定の場所に移動させて、全体の作業を終了する。
【産業上の利用可能性】
【００６９】
本発明に係る補助器具１は、診断や検査を行う際に使用される手動式放射性液体投与装置以外の、種々の液体投与装置の補助器具１として幅広く利用できるものである。
【図面の簡単な説明】
【００７０】
【図１】一端に嵌合凹部と円形挿入部を備えている補助器具の全体構成を示す斜視図である。
【図２】補助器具の円形挿入部にシールド部材を装着する状態を示す分解斜視図である。
【図３】ＰＥＴ薬剤用シリンジを装着したシリンジシールドを、補助器具の嵌合凹部にセットする状態を示す斜視図である。
【図４】ＰＥＴ薬剤用シリンジを装着したシリンジシールドを、補助器具の嵌合凹部にセットした状態を示す斜視図である。
【図５】ＰＥＴ薬剤用シリンジをシリンジシールドにセットしたままの状態で、バイアルからＰＥＴ薬剤を吸引している状態を示す斜視図である。
【図６】ＰＥＴ薬剤用シリンジをシリンジシールドから取り外し、放射線量測定装置にセットした状態を示す斜視図である。
【図７】手動式放射性液体投与装置にシリンジシールドをセットし、三方活栓を介して生理食塩水用シリンジとつないでいる状態を示す斜視図である。
【符号の説明】
【００７１】
Ｐ…針
Ｑ…ＰＥＴ薬剤用シリンジ
Ｆ…フランジ部
Ｓ…シリンジシールド
Ｓ１…嵌挿孔
Ｓ２…ロックレバー
Ｓ３…フック部
Ｖ…バイアル
Ｍ…放射線量測定装置
Ｔ…手動式放射性液体投与装置
Ｔ１…押圧操作棒
Ｔ２…台座
Ｒ…三方活栓
Ｒ１…コック
Ｒ２…投入ライン
Ｌ…生理食塩水用シリンジ
１…補助器具
２…嵌合凹部
３…円形挿入部
４…シールド部材
【図１】
2008092999.tif 000003
【図２】
2008092999.tif 000004
【図３】
2008092999.tif 000005
【図４】
2008092999.tif 000006
【図５】
2008092999.tif 000007
【図６】
2008092999.tif 000008
【図７】
2008092999.tif 000009